(57)【要約】【課題】異常感知信号を自動送信する簡易通報システム１に使用する簡易な構造の簡易通報セット１Ｓを提供する。【解決手段】異常状態を検出する異常感知センサーＸＮと、異常感知センサーＸＮを接続可能な簡易通報器１０と、簡易通報器１０を取り付け可能な棒状体７とを備える簡易通報セット１Ｓであって、簡易通報器１０は、ＧＰＳ位置情報を受信するＧＰＳ信号受信部１３と、異常感知信号から形成した異常通知信号を制御部１４に送信するインターフェイス部１２と、管理システム用サーバ２に異常通知信号を送信する外部ネットワーク通信部１１と、簡易通報器１０を制御する制御部１４とを備え、異常感知信号が自動的に管理システム用サーバ２に送信されることを特徴とする。【選択図】図１
2020021435.tif 000002
【特許請求の範囲】
【請求項１】
異常状態を検出する異常感知センサーと、
前記異常感知センサーを接続可能な簡易通報器と、
前記簡易通報器を取り付け可能な棒状体とを備えることを特徴とする簡易通報セットであって；
前記簡易通報器は、
当該簡易通報器の全体及び各部を制御して、当該簡易通報器としての機能を発揮させる制御部と、
ＧＰＳ衛星からＧＰＳ位置情報を受信するＧＰＳ信号受信部と、
前記異常感知センサーからの異常感知信号を受信した時に異常通知信号を形成し、前記異常通知信号を前記制御部に送信するインターフェイス部と、
通信ネットワークを介し簡易通報システムの管理システム用サーバに異常通知信号を送信する外部ネットワーク通信部と、
当該簡易通報器に電力を供給する電源部とを備え、
前記制御部は、前記インターフェイス部に、前記異常感知信号を受信した時に即時に、前記異常通知信号を形成させ、前記インターフェイス部から前記異常通知信号を前記外部ネットワーク通信部に送信し、前記ＧＰＳ信号受信部から前記ＧＰＳ位置情報を前記外部ネットワーク通信部に送信し、前記外部ネットワーク通信部に、前記異常通知信号と前記ＧＰＳ位置情報とを前記管理システム用サーバに送信させることを特徴とする；
簡易通報セット。
【請求項２】
前記異常感知センサーが、通常は非導通であるが水濡れにより導通する電気回路を有する水検知センサーであり、
前記簡易通報器は、前記異常感知センサーが異常状態として水中にあることを検知したときに、管理システム用サーバに異常通知信号を送信することを特徴とする；
請求項１に記載の簡易通報セット。
【請求項３】
前記異常感知センサーが、当該棒状体の傾斜を検知する傾斜検出センサーであり、
前記異常感知センサーが異常状態として所定角度を超える傾斜を検知したときに、又は、
前記異常感知センサーが異常状態として所定距離を超える位置移動を検知したときに、
前記簡易通報器は、前記管理システム用サーバに異常通知信号を送信することを特徴とする；
請求項１に記載の簡易通報セット。
【請求項４】
前記異常感知センサーが、温度を検知する温度検出センサーであり、
前記簡易通報器は、前記温度検出センサーが異常状態として所定温度を超える温度を検知したときに、管理システム用サーバに異常通知信号を送信することを特徴とする；
請求項１に記載の簡易通報セット。
【請求項５】
前記インターフェイス部は、前記異常感知センサーに対応する異常の種別を判別し、前記異常通知信号と共に前記異常の種別を制御部に送信し、
前記制御部は、前記インターフェイス部が前記異常感知信号を受信した時に、前記インターフェイス部から前記異常の種別を前記外部ネットワーク通信部に送信し、前記外部ネットワーク通信部に、前記異常の種別を前記管理システム用サーバに送信させることを特徴とする；、
請求項１ないし請求項４に記載の簡易通報セット。
【請求項６】
前記簡易通報器は、当該簡易通報器の識別番号及び／又は当該簡易通報器の所有者の識別番号を記憶する識別情報記憶部を備え、
前記制御部は、前記インターフェイス部が前記異常感知信号を受信した時に、前記識別情報記憶部から前記簡易通報器の識別番号及び／又は前記所有者の識別番号を読み出して前記外部ネットワーク通信部に送信し、前記外部ネットワーク通信部に、前記簡易通報器の識別番号及び／又は前記所有者の識別番号を前記管理システム用サーバに送信させることを特徴とする；
請求項１ないし請求項５に記載の簡易通報セット。
【請求項７】
ビーコン信号を発振するビーコン信号発振器と、
前記ビーコン信号発振器を取り付け可能な棒状体と、
前記ビーコン信号発振器からのビーコン信号を受信して、通信ネットワークを介して簡易通報システムの管理システム用サーバにビーコン信号を受信した旨の通知信号であるビーコン受信通知信号を送信する簡易通報器とを備えることを特徴とする簡易通報セットであって；
前記簡易通報器は、
当該簡易通報器の全体及び各部を制御して、当該簡易通報器としての機能を発揮させる制御部と、
ＧＰＳ衛星からＧＰＳ位置情報を受信するＧＰＳ信号受信部と、
前記異常感知センサーからのビーコン信号を受信した時にビーコン受信通知信号を形成し、前記ビーコン受信通知信号を前記制御部に送信するインターフェイス部と、
前記通信ネットワークを介し前記管理システム用サーバに前記ビーコン受信通知信号を送信する外部ネットワーク通信部と、
当該簡易通報器に電力を供給する電源部と、
前記ビーコン信号発振器からのビーコン信号を受信するビーコン信号受信回路と、前記ビーコン信号受信回路が前記ビーコン信号を受信したことを簡易通報器に通報する通報インターフェイス回路とを有するアタッチメントとを備え；
前記制御部は、前記インターフェイス部に、前記ビーコン信号を受信した時に即時に、前記ビーコン受信通知信号を形成させ、前記インターフェイス部から前記ビーコン受信通知信号を前記外部ネットワーク通信部に送信し、前記ＧＰＳ信号受信部から前記ＧＰＳ位置情報を前記外部ネットワーク通信部に送信し、前記外部ネットワーク通信部に、前記ビーコン受信通知信号と前記ＧＰＳ位置情報とを前記管理システム用サーバに送信させることを特徴とする；
簡易通報セット。
【発明の詳細な説明】
【技術分野】
【０００１】
本発明は簡易通報セットに関する。詳しくは、異常状態を検出する異常感知センサーと、異常感知センサーを接続可能な簡易通報器と、簡易通報器を取り付け可能な棒状体とを備える簡易通報セットに関する。
【背景技術】
【０００２】
通信ネットワーク及び携帯端末の利用・普及が進んでおり、人目に触れない場所での情報を自動的に管理システムのサーバに送信する技術が知られている。監視カメラも良く使用されている。
例えば、地中での杭の傾き情報を傾斜計で測定し、送信機で測定データを地上に伝達する杭頭キャップが開示されている（特許文献１参照）。
【先行技術文献】
【特許文献】
【０００３】
【特許文献１】特開２０１４−１１１８６６
【発明の概要】
【発明が解決しようとする課題】
【０００４】
しかしながら、異常感知信号を自動送信するシステムにおいて、監視カメラや傾斜計などを取り付ければ、それだけ高価になる、また、現場での設置に時間がかかる、という問題があった。
【０００５】
本発明は、かかる要望に応えるためのもので、異常感知信号を自動送信するシステムにおいて、簡易な構造で安価な簡易通報セットを提供することを目的とする。
【課題を解決するための手段】
【０００６】
上記課題を解決するために、本発明の第１の態様に係る簡易通報セット１は、例えば図１に示すように、
異常状態を検出する異常感知センサーＸＮと、
異常感知センサーＸＮを接続可能な簡易通報器１０と、
簡易通報器１０を取り付け可能な棒状体７とを備えることを特徴とする簡易通報セット１Ｓであって、
簡易通報器１０は、
当該簡易通報器１０の全体及び各部を制御して、当該簡易通報器１０としての機能を発揮させる制御部１４と、
ＧＰＳ衛星６からＧＰＳ位置情報を受信するＧＰＳ信号受信部１３と、
異常感知センサーＸＮからの異常感知信号を受信した時に異常通知信号を形成し、異常通知信号を制御部１４に送信するインターフェイス部１２と、
通信１０５を介し簡易通報システム１の管理システム用サーバ２に異常通知信号を送信する外部ネットワーク通信部１１と、
当該簡易通報器１０に電力を供給する電源部１６とを備え、
制御部１４は、インターフェイス部１２に、異常感知信号を受信した時に、即時に異常通知信号を形成させ、インターフェイス部１２から異常通知信号を外部ネットワーク通信部１１に送信し、ＧＰＳ信号受信部１３からＧＰＳ位置情報を外部ネットワーク通信部１１に送信し、外部ネットワーク通信部１１に送信、異常通知信号とＧＰＳ位置情報とを管理システム用サーバ２バ送信させることを特徴とする。
【０００７】
ここにおいて、簡易通報システム１は、異常感知センサーＸＮを取り付けた簡易通報器１０と管理システム用サーバ２と管理システム用データベース３とが通信ネットワーク５を介して通信接続されて構成されている(図１参照)。また、異常感知センサーＸＮと簡易通報器１０と棒状体７とにより簡易通報セット１Ｓが構成される。また、「即時に」とは、「直ぐに」を意味し、１０秒以内が好ましく、１秒以内がより好ましい。緊急時においは、異常感知センサーで検出された異常信号を、自動ダイヤル、タイマー操作及び人手による操作を介することなく、通信ネットワークを介して即時に管理システム用サーバに送信されることが好ましい。「人手による操作」には、簡易通報器の緊急通報ボタンを押す操作、画面に表示されたボタンやマークをクリックする操作等が含まれる。
このように構成すると、簡易な構造で安価な簡易通報セットを提供できる。
【０００８】
また、本発明の第２の態様に係る簡易通報セット１Ｓは、第１の態様において、例えば図３に示すように、異常感知センサーＸＮが、通常は非導通であるが水濡れにより導通する電気回路を有する水検知センサーＸ１であり、簡易通報器１０は、異常感知センサーＸＮが異常状態として水中にあることを検知したときに、管理システム用サーバ２に異常通知信号を送信することを特徴とする。
このように構成すると、水検知センサーＸ１が水中に没したことを通して、水が所定量に達したことや水害のおそれが生じたことを認知できる。
【０００９】
また、本発明の第３の態様に係る簡易通報セット１Ｓは、第１の態様において、例えば図６に示すように、異常感知センサーＸＮが、当該棒状体７の傾斜を検知する傾斜センサーＸ３であり、異常感知センサーＸＮが異常状態として所定角度を超える傾斜を検知したときに、又は、異常感知センサーＸＮが異常状態として所定距離を超える位置移動を検知したときに、簡易通報器１０は、管理システム用サーバ２に異常通知信号を送信することを特徴とする。
このように構成すると、棒状体７に傾斜又は位置移動が発生したことを通して、地震・地滑り・雪崩の発生・自動車のオーバーラン・獣の到来等を認知できる。
【００１０】
また、本発明の第４の態様に係る簡易通報セットは、第１の態様において、例えば図７に示すように、異常感知センサーＸＮが、温度が所定温度を超えたことを検知する温度センサーＸ２であり、簡易通報器１０は、温度センサーＸ２が異常状態として所定温度を超える温度を検知したときに、管理システム用サーバ２に異常通知信号を送信することを特徴とする。
このように構成すると、温度が所定温度を超えたことを通して、監視対象の温度が高温になったことを認知できる。
【００１１】
また、本発明の第５の態様に係る簡易通報セットは、第１ないし第４のいずれかの態様において、例えば図８に示すように、インターフェイス部１２は、異常感知センサーＸＮに対応する異常の種別を判別し、異常通知信号と共に異常の種別を制御部１４に送信し、制御部１４は、インターフェイス部１２が異常感知信号を受信した時に、インターフェイス部１２から異常の種別を外部ネットワーク通信部１１に送信し、外部ネットワーク通信部１１に、異常の種別を管理システム用サーバ２に送信させることを特徴とする。
このように構成すると、１つの簡易通報器１０で複数種のセンサーを管理できる。
【００１２】
また、本発明の第６の態様に係る簡易通報セットは、第１ないし第５のいずれかの態様において、例えば図９に示すように、簡易通報器１０は、当該簡易通報器１０の識別番号及び／又は当該簡易通報器１０の所有者の識別番号を記憶する識別情報記憶部１５を備え、制御部１４は、インターフェイス部１２が異常感知信号を受信した時に、識別情報記憶部１５から簡易通報器１０の識別番号及び／又は所有者の識別番号を読み出して外部ネットワーク通信部１１に送信し、外部ネットワーク通信部１１に、簡易通報器１０の識別番号及び／又は所有者の識別番号を管理システム用サーバ２に送信させることを特徴とする。
このように構成すると、管理システム用サーバ２は複数の簡易通報器１０を管理できる。
【００１３】
また、本発明の第７の態様に係る簡易通報セットは、例えば図１２及び図１３に示すように、ビーコン信号を発振するビーコン信号発振器３１と、ビーコン信号発振器３１を取り付け可能な棒状体７と、ビーコン信号発振器３１からのビーコン信号を受信して、通信ネットワーク５を介して簡易通報システム1の管理システム用サーバ２にビーコン信号を受信した旨の通知信号であるビーコン受信通知信号を送信する簡易通報器１０とを備えることを特徴とする簡易通報セット１ＳＡであって、簡易通報器１０は当該簡易通報器１０の全体及び各部を制御して、当該簡易通報器１０としての機能を発揮させる制御部１４と、ＧＰＳ衛星６からＧＰＳ位置情報を受信するＧＰＳ信号受信部１３と、異常感知センサーＸＮからのビーコン信号を受信した時にビーコン受信通知信号を形成し、ビーコン受信通知信号を制御部１４に送信するインターフェイス部１２と、通信ネットワーク５を介し管理システム用サーバ２にビーコン受信通知信号を送信する外部ネットワーク通信部１１と、当該簡易通報器１０に電力を供給する電源部１６と、ビーコン信号発振器３１からのビーコン信号を受信するビーコン信号受信回路３３と、ビーコン信号受信回路３３がビーコン信号を受信したことを簡易通報器１０に通報する通報インターフェイス回路３４とを有するアタッチメント３０とを備え、制御部１４は、インターフェイス部１２に、ビーコン信号を受信した時に即時に、ビーコン受信通知信号を形成させ、インターフェイス部１２からビーコン受信通知信号を外部ネットワーク通信部１１に送信し、ＧＰＳ信号受信部１３からＧＰＳ位置情報を外部ネットワーク通信部１１に送信し、外部ネットワーク通信部１１に、ビーコン受信通知信号とＧＰＳ位置情報とを管理システム用サーバ２に送信させることを特徴とする。
このように構成すると、安価なビーコン信号発振器を用いて、簡易通報セットの棒状体を構築できる。
【発明の効果】
【００１４】
異常感知信号を自動送信するシステムにおいて、簡易な構造で安価な簡易通報セットを提供できる。
【図面の簡単な説明】
【００１５】
【図１】実施例１に係る簡易通報システムの構成例を示すブロック図である。
【図２Ａ】実施例１に係る簡易通報器の外観の例を示す図である。
【図２Ｂ】実施例１に係る簡易通報器の蓋を開けた外観の例を示す図である。
【図３】棒状体に簡易通報器と水検知センサーを取り付けた例を示す模式図である。
【図４Ａ】簡易通報器を水検知に利用した場合の概念を示す図である。
【図４Ｂ】水検知センサーの例を模式的に示す図である。
【図５】実施例１に係る簡易通報システムの動作のフロー例を示す図である。
【図６】棒状体に簡易通報器と傾斜センサーを取り付けた例を示す模式図である。
【図７】棒状体に簡易通報器と温度センサーを取り付けた例を示す模式図である。
【図８】１つの棒状体に簡易通報器と複数種のセンサーを取り付けた例を示す模式図である。
【図９】実施例５に係る簡易通報システムの構成例を示すブロック図である。
【図１０】実施例５に係る簡易通報システムの動作のフロー例を示す図である。
【図１１Ａ】簡易通報セットの地割れへの応用例（その1）を示す図である。
【図１１Ｂ】簡易通報セットの地割れへの応用例（その２）を示す図である。
【図１２】ビーコン信号発振器を用いる通報の概念を説明するための図である。
【図１３】棒状体にビーコン信号発振器と異常感知センサーを取り付けた簡易通報セットの例を示す模式図である。
【発明を実施するための形態】
【００１６】
以下に、図面を用いて、本発明の実施の形態について説明する。同一又は相当する装置・部分には同じ符号を付して、重複した説明を省略する。
【実施例１】
【００１７】
実施例１では、簡易通報器１０を水検知システムに利用した場合、すなわち、異常感知センサーＸＮが水検知センサーＸ１の例について説明する。
図１は、実施例１に係る簡易通報システム１の構成例を示すブロック図である。簡易通報用システム１は、簡易通報器１０と管理システム用サーバ２と管理システム用データベース３とが通信ネットワーク５を介して通信接続されて構成されている。簡易通報器１０は外部ネットワーク通信部１１を介して通信ネットワーク５に接続され、管理システム用サーバ２に異常通知信号を送信する。ここにおいて、異常感知センサーＸＮと簡易通報器１０と棒状体７とにより簡易通報セット１Ｓが構成される。
【００１８】
棒状体７は、地面等に立てて使用される。棒状であれば、金属、プラスチック、木又は竹でも良い。棒状体７の立て方は杭にして土に突き立てても良く、穴を掘って差し込んでも良く、およそ鉛直に立てられれば良い。棒状体７に、簡易通報器１０を取り付ける。取り付け方はロープを使う、ねじ・ボルトを使う、貼り付ける等で位置を固定できれば良い。各種異常感知センサーＸＮも棒状体７に取り付けられる。この取り付け方もロープを使う、ねじ・ボルトを使う、貼り付ける等で位置を固定できれば良い。簡易通報セット１Ｓにおいて、簡易通報器１０には異常感知センサーＸＮが接続される。異常感知センサーＸＮが異常状態を検出すると、簡易通報器１０は異常状態が発生したことを管理システム用サーバ２に異常通知信号を送信して通知する。例えば、水検知センサーＸ１はセンサーが水中にあること、すなわち、水検知センサーＸ１の取り付け位置まで水位が上昇したことを検知する。傾斜センサーＸ３は杭が獣の衝突、地滑り等により傾斜したことを検知する。温度センサーは観測位置の温度が所定温度を超えたことを検知する。その他のセンサー、例えば音センサー、輝度センサーも使用可能である。
【００１９】
管理システム用サーバ２は、簡易通報システム１を管理・運用するためのサーバである。各簡易通報器１０を介してデータを収集し、編集し、管理システム用モニタ４の表示画面に各簡易通報器１０のＧＰＳ位置情報等を表示して、異常状態が発生しないかを監視する。本実施例では、監視される簡易通報器が単数の例を説明するが、複数の簡易通報器を監視することも可能である。
【００２０】
管理システム用データベース３は、各簡易通報器１０を介して異常感知センサーＸＮで検出されたデータを蓄積する。また、ＧＰＳ信号受信部１３で検出されたデータから、簡易通報器１０の現在位置だけでなく、過去の軌跡を追跡することも可能である。簡易通報器１０から管理システム用サーバ２への通信は常時行わなくても良い。緊急でない場合は、電力節減のために、例えば１０分間隔で異常なし信号を送るようにしても良い。
ＧＰＳ衛星６はＧＰＳ位置情報の計測に使用される。ＧＰＳ衛星６の軌道情報はＧＰＳ暦に記録されている。
管理システム用モニタ４は、管理システム用サーバ２のモニタである。各簡易通報器１０に係る位置情報、異常状態の有無等が表示される。
【００２１】
簡易通報器１０は、外部ネットワーク通信部１１、インターフェイス部１２、ＧＰＳ信号受信部１３、制御部１４、電源部１６及び共通信号バス１７を含んで構成される。
外部ネットワーク通信部１１は、通信ネットワーク５に接続され、通信ネットワーク５を介して管理システム用サーバ２に異常通知信号を送信する。
インターフェイス部１２には、各種異常状態を検出するための異常感知センサーＸＮ（Ｎ＝正整数）が接続されている。インターフェイス部１２は、異常感知センサーＸＮからの異常感知信号を受信して、異常通知信号を形成して出力する。また、インターフェイス部１２は、異常感知センサーＸＮが異常を検出した時に、異常感知センサーＸＮに対応する異常の種別を判別し、異常通知信号と共に異常の種別を制御部１４に送信する。異常感知センサーＸＮとして、水検知センサーＸ１、温度センサーＸ２、傾斜センサーＸ３等を搭載可能である。本実施例では水検知センサーＸ１を使用する。水検知センサーＸ１を棒状体７に取り付ける位置は、監視すべき水位に該当する高さに合わせる。なお、本実施例では異常感知センサーＸＮは水検知センサーＸ１のみで良いので、異常の種別を判断しなくても良い。
ＧＰＳ信号受信部１３は、常時ＧＰＳ衛星６からＧＰＳ位置情報を受信し、内蔵のＧＰＳ位置情報一時記憶部(図示しない)に記憶する。ＧＰＳ位置情報一時記憶部に記憶されたデータのうち、必要なデータは管理システム用データベース３に保存され、その他のデータは適時に消去される。
【００２２】
制御部１４は、インターフェイス部１２から異常感知信号を受信した時に、異常通知信号を外部ネットワーク通信部１１に送信し、ＧＰＳ信号受信部１３からＧＰＳ信号受信部１３が受信した最新のＧＰＳ位置情報を外部ネットワーク通信部１１に送信し、外部ネットワーク通信部１１に、異常通知信号とＧＰＳ信号受信部１３が受信した最新のＧＰＳ位置情報とを管理システム用サーバ２に送信させる。管理システム用サーバ２から制御部１４へ送信する信号は、平常時の位置情報計測の命令、節電のための測定間隔の指定等であり、これらはオプション的である。
電源部１６は、簡易通報器１０の各部に電力を供給する。
共通信号バス１７は、簡易通報器の各部間で信号及びデータをやり取りする場合のバスとして使用される。
【００２３】
図２Ａに、実施例１に係る簡易通報器１０の外観例を示す。例えば４５×３８×１５ｍｍ３のパッケージに、図１に記載の各部とセンサーと電源が収納されている。防水処理がされ、通信法式は例えばＷＣＤＭＡ（登録商標）方式、８００ＭＨｚ〜２ＧＨｚに対応可能である。また、例えば−２０℃〜＋６０℃に適用可能である。パッケージの図柄は変更可能である。
簡易通報器１０は棒状体に取り付けるため小型・軽量であることが好ましい。例えば、５０×５０×２０ｍｍ３以下であることが好ましい。
【００２４】
図２Ｂに、実施例１に係る簡易通報器の蓋を開けた外観の例を示す。マイコン＋センサー回路２１（マイコン回路とセンサー回路を有する）が簡易通報器パッケージ１０Ｃに内蔵されている。センサー回路はセンサーからの入力信号を数値化して出力する。図１との対応では、外部ネットワーク通信部１１、インターフェイス部１２、ＧＰＳ信号受信部１３のメモリ及びコントローラ部分、制御部１４、共通信号バス１７の全体がマイコン内に構成され、センサー回路は各センサーとインターフェイス部１２との間に構成される。センサーのセンシング部分はセンサー開口部２２から外に出して使用可能である。チャージャー接点２３は電源端子を差し込んで、マイコン＋センサー回路２１に電力を供給可能である。ストラップ開口部２４（又はストラップリング）はストラップを装着する部分である。
【００２５】
図３は、棒状体に簡易通報器と水検知センサーを取り付けた例を示す図である。棒状体７に水検知センサーＸ１と簡易通報器１０が取り付けられている。水検知センサーＸ１は水検知回路を有し、水検知センサーＸ１が水に浸かると、通常は０Ｖであった水検知回路の出力に電圧Ｖｃが発生し、簡易通報器１０に入力される。これにより、簡易通報器１０から異常通報信号が管理システム用サーバ２に伝達され、管理システム用サーバ２において、水検知センサーＸ１が水に浸かったことが認識される。
【００２６】
図４Ａは、簡易通報器を水検知に利用した場合の概念を示す図である。図４Ｂはその水検知回路２５の例を模式的に示す図である。簡易通報器１０に異常感知センサーＸＮとして水検知センサーＸ１を接続し、水検知回路２５の２つの端子にそれぞれ水検知センサーＸ１の端子を接続する。水検知センサーＸ１の端子Ｘａ，Ｘｂが水に浸かると、２端子Ｘａ，Ｘｂがショートして、２つの端子Ｘａ，Ｘｂを含む回路に電流が流れ、水検知センサーの２つの端子Ｘａ，Ｘｂが水中に入ったこと、すなわち、異常状態が検知される。図２Ｂとの対応では、水検知回路２５はセンサー回路に該当する。
同時に、簡易通報器１０のＧＰＳ信号受信部１３がＧＰＳ衛星６からの信号を受信する。これにより、簡易通報器１０のインターフェイス部１２に異常感知信号が伝わり、異常通知信号が形成されて、外部ネットワーク通信部１１から通信ネットワーク５を介して管理システム用サーバ２に異常通知信号が伝達される。その際に、ＧＰＳ信号も外部ネットワーク通信部１１から通信ネットワーク５を介して管理システム用サーバ２に伝達される。これにより、水検知センサーＸ１浸水時の緊急通報が行われる。
【００２７】
図５は、実施例１に係る簡易通報器の動作のフロー例を示す図である。
まず、水位が上昇して（Ｓ００１）、水検知センサーＸ１が水に浸かると（Ｓ００２）、異常感知信号を発信する（Ｓ００３）。すると、インターフェイス部１２に異常感知信号が入力され、異常通知信号が形成される（Ｓ００４）。また、常時、ＧＰＳ信号受信部がＧＰＳ衛星６からＧＰＳ位置情報を受信する（Ｓ００５）。制御部１４が異常通知信号をインターフェイス部１２から外部ネットワーク通信部１１に送信する。また、ＧＰＳ信号受信部１３からＧＰＳ位置情報を読み出し、外部ネットワーク通信部１１に送信する（Ｓ００７）。次いで、異常通知信号、ＧＰＳ位置情報を外部ネットワーク通信部１１から通信ネットワーク５を介して管理システム用サーバ２に送信する（Ｓ００８）。異常時の管理システム用サーバ２への送信情報は、異常通知信号＋簡易通報器１０の位置情報である。平常時の管理システム用サーバ２への送信情報は、例えば定期的に送信するものとし、簡易通報器１０の位置情報だけでも良いが、平常である旨の信号（例えば「００」、「ｂｕｊｉ」等）を送信しても良い。異常通知信号は例えば２ＧＨｚ帯（混線しにくい）、８００ＭＨｚ帯（音質が良い、遠くまで飛ぶ、障害物を回り込む）を使用できる。
【００２８】
異常通知信号、ＧＰＳ位置情報を、外部ネットワーク通信部１１に送信するに際して、自動ダイヤル、クリックやプッシュボタン等の人手による操作、タイマー操作及びダイヤル操作を介することなく、異常通知信号が管理システム用サーバ２に送信される。管理システム用サーバ２では簡易通報器１０の水没時のＧＰＳ位置情報を、管理システム用モニタ（ディスプレイ等）４に表示する（Ｓ００９）。
水検知センサーＸ１は、海・川・池の水位を監視するほかに、プール・溜池・貯水漕を所定の水位まで満たす場合の、水位の測定にも使用可能である。
【００２９】
以上により、本実施の形態によれば、異常感知信号を自動送信するシステムにおいて、簡易な構造で安価な簡易通報セットを提供できる。
【実施例２】
【００３０】
実施例１では、センサーが水検知センサーＸ１の例を説明したが、実施例２では傾斜センサーＸ３の例を説明する。
図６は棒状体７に簡易通報器１０と傾斜センサーＸ３を取り付けた例を示す模式図である。棒状体７は、例えば山中の猪、鹿等の獣の通り道に立木２６とロープ２７で結び付けられて、傾斜センサーＸ３が取り付けられている。例えば、傾斜センサーＸ３は獣がロープ２７を引っ張り棒状体７が傾斜したことを検知する。棒状体７が傾斜したことを検知すると、簡易通報器１０が通信ネットワーク５を介して管理システム用サーバ２に異常状態通知信号を通報する。傾斜センサーＸ３は、例えば、棒状体７を差し込んだ穴は３方向を固められ、立木２６側に倒れ易くなっている。傾斜センサーＸ３として、棒状体７の立木２６と反対側に、下向き３０度に傾斜した筒状体が取り付けられ、筒状体の底に＋電極としての鉄球が入れられており、筒状体の上側に−電極が形成されているとする。棒状体７が立木２６側に３０度を超えて傾くと、鉄球が転がり、筒状体上側の電極に当たり、両電極間に電流が流れることになる。これにより異常感知信号がインターフェイス部１２に入力される。傾斜が所定の閾値（この例では３０度）を超えた場合には、簡易通報器１０は異常状態通知信号を管理システム用サーバ２に通知する。
【００３１】
傾斜センサーＸ３は、獣の到来の監視の他に、台風・地震・地滑り・雪崩等のよる傾斜にも使用可能である。
また、これらの異常検知には、傾斜検知に代えて、簡易通報器１０の位置移動を検出しても良い。位置移動の計測には、１つのＧＰＳセンサー、すなわち、簡易通報器１０に内在のＧＰＳ信号受信部１３を使用すれば良い。簡易通報器１０を取り付ける位置は例えば棒状体７上部の移動量が大きくなりそうな位置とする。ＧＰＳセンサーの位置座標の移動量を計算し、移動量が所定の閾値を超えた場合には、簡易通報器１０は異常状態通知信号を管理システム用サーバ２に通知する。例えば、台風・地震・地滑り・雪崩等のよる位置移動、自動車の車庫入れでのオーバー運転のチェック等に使用可能である。
本実施の形態によれば、異常感知信号を自動送信するシステムにおいて、簡易な構造で安価な簡易通報セットを提供できる。
【実施例３】
【００３２】
実施例１では、センサーが水検知センサーの例を説明したが、実施例３ではセンサーＸＮが温度センサーＸ２の例を説明する。
図７は棒状体７に簡易通報器１０と温度センサーＸ２を取り付けた例を示す模式図である。棒状体７は、例えば山中の炭焼き小屋の中に立てられ、温度センサーＸ２が取り付けられている。棒状体７に温度センサーＸ２を取り付ける位置は、温度を監視すべき位置とする。温度センサーＸ２は例えば金属線の抵抗の値から温度を測定する。簡易通報器１０は、温度センサーＸ２の測定温度が所定の閾値を超えたかを判定する判定部を有する。温度センサーＸ２の測定温度が所定の閾値を超えた場合には、簡易通報器１０は異常状態通知信号を管理システム用サーバ２に通知する。
温度センサーＸ２は、炭焼き小屋の監視の他に、火事が起こりやすい火元の監視、ベンディングマシンの温度のチェック等にも使用可能である。
本実施の形態によれば、異常感知信号を自動送信するシステムにおいて、簡易な構造で安価な簡易通報セットを提供できる。
【実施例４】
【００３３】
以上の実施例では、センサーが１種の例を説明したが、実施例４ではセンサーＸＮが複数種の例を説明する。ここでは、水検知センサーＸ１、傾斜センサーＸ３、及び温度センサーＸ２を使用する例を説明する。
図８に１つの棒状体７に簡易通報器１０と複数種のセンサーＸ１〜Ｘ３を取り付けた例を示す模式図である。
例えば、棒状体７の上側に傾斜センサーＸ３を取り付け、上から２番目に温度センサーＸ２を、上から３番目に水検知センサーＸ１を取り付ける。それぞれのセンサーの構成及び機能は実施例１ないし実施例４と同様である。
インターフェイス部１２は、異常通知信号を通知した異常感知センサーＸＮに対応する異常の種別を判別し、異常通知信号と共に異常の種別を制御部１４に送信する。制御部１４は、インターフェイス部１２が、異常感知信号を受信した時に、異常通知信号と共に異常の種別を外部ネットワーク通信部１１に送信し、外部ネットワーク通信部１１に、異常通知信号と共に異常の種別を管理システム用サーバ２に送信させる。これにより、管理システム用サーバ２がどのセンサーＸＮからの異常通知信号かを判別できる。
本実施の形態によれば、異常感知信号を自動送信するシステムにおいて、簡易な構造で安価な簡易通報セットを提供できる。
【実施例５】
【００３４】
以上の実施例では、棒状体７が１個の例を説明したが、実施例５では１つの管理システム用サーバ２に複数の棒状体７の簡易通報器１０を接続する場合の例を示す。
【００３５】
図９は実施例５に係る簡易通報システム１Ａの構成例を示すブロック図である。
例えば、通信ネットワーク５に、複数の棒状体７の簡易通報器１０が接続される。１つの管理システム用サーバ２から、複数の棒状体７の簡易通報器１０にアクセス可能であり、制御可能である。
簡易通報器１０は、当該簡易通報器１０の識別番号及び／又は当該簡易通報器１０の所有者の識別番号を記憶する識別情報記憶部１５を備える。すなわち、内蔵メモリに予めこれらの識別番号を記憶しておく。各簡易通報器１０を区別するためである。制御部１４は、インターフェイス部１２が異常感知信号を受信した時に、識別情報記憶部１５から簡易通報器１０の識別番号及び／又は所有者の識別番号を読み出して外部ネットワーク通信部１１に送信し、外部ネットワーク通信部１１に、異常通知信号と異常の種別（センサーが複数種のとき）とＧＰＳ信号受信部１３が受信した最新のＧＰＳ位置情報と簡易通報器１０の識別番号及び／又は所有者の識別番号を管理システム用サーバ２に送信させる。
【００３６】
図１０に、実施例５に係る簡易通報システムの動作のフロー例を示す。図５の工程に次の工程が追加又は修正される。予め識別情報記憶部１５に簡易通報器１０の識別番号と所有者の識別番号を記憶しておく（Ｓ００６）。制御部１４が異常通知信号を異常の種別と共にインターフェイス部１２から外部ネットワーク通信部１１に送信する。また、ＧＰＳ信号受信部１３からＧＰＳ位置情報を読み出し、識別情報記憶部１５から簡易通報器１０の識別番号と所有者の識別番号を読み出し、外部ネットワーク通信部１１に送信する（Ｓ００７Ａ）。次いで、異常通知信号、異常の種別、ＧＰＳ位置情報、簡易通報器の識別番号と所有者の識別番号を外部ネットワーク通信部１１から通信ネットワーク５を介して管理システム用サーバ２に送信する（Ｓ００８Ａ）。
【００３７】
これにより、異常通知信号、異常の種別、ＧＰＳ位置情報、簡易通報器の識別番号及び／又は所有者の識別番号を、外部ネットワーク通信部１１に送信するに際して及び管理システム用サーバ２に送信するに際して、自動ダイヤル、クリックやプッシュボタン等の人手による操作、タイマー操作及びダイヤル操作を介することなく、異常通知信号が管理システム用サーバ２に送信される。管理システム用サーバ２では簡易通報器１０の水没時等、送信時のＧＰＳ位置情報を、ディスプレイに表示する（Ｓ００９）。
本実施の形態によれば、異常感知信号を自動送信するシステムにおいて、簡易な構造で安価な簡易通報セットを提供できる。
【実施例６】
【００３８】
図１１Ａ及び図１１Ｂは、簡易通報セットの地割れへの応用例を示す。図１１Ａは平坦地で数ｃｍの地割れの広がりや位置ズレを感知して通報する例を、図１１Ｂは地割れの発生のおそれのある山の斜面で地割れの発生又は広がりを感知して通報する例を示す。図１１Ａ及び図１１Ｂにおいて、棒状体７の下端が地中に埋め込まれ、ＧＰＳ信号受信部１３を有する簡易通報器１０と電池１６Ａと電池１６Ａのスイッチ１６Ｂを搭載するボード１８が棒状体７に取り付けられる。地割れが発生するおそれがある部分を挟んでアンカー１９Ｂと棒状体７が共に下端が地中に埋め込まれて立てられる。アンカー１９Ｂの上端と棒状体７に搭載されたスイッチ１６Ｂがワイヤー１９Ａで結ばれる。図１１Ａではアンカー１９Ｂと棒状体７の間にワイヤーガード１９Ｃが埋め込まれ、アンカー１９Ｂの上端とスイッチ１６Ｂがワイヤーガード１９Ｃをくぐってワイヤー１９Ａで結ばれる。アンカー１９Ｂ及びワイヤーガード１９Ｃは全体が埋め込まれても良い。図１１Ａ及び図１１Ｂにおいて、地割れが発生する又は広がると、電池１６Ａのスイッチ１６Ｂがワイヤー１９Ａに引かれて、ＯＦＦからＯＮに切り替わり、簡易通報器１０は管理システム用サーバ２に通報信号にＧＰＳ位置情報を付して送付する。これにより、管理システム用サーバ２で地割れが発生した又は広がったと認識できる。
【実施例７】
【００３９】
本実施例では、簡易通報器１０をビーコン信号発振器３１と共に緊急通報に使用する例について説明する。
図１２は実施例７における通報の概念を説明するための図である。図１３は棒状体にビーコン信号発振器と異常感知センサーを取り付けた簡易通報セットの例を示す模式図である。実施例１に係る簡易通報システム１において、棒状体７に取り付けられる簡易通報器１０と異常感知センサーＸＮの組み合わせをビーコン信号発振器３１に代える。簡易通報器１０にアタッチメント３０を付し、ビーコン信号発振器３１の近くに設置するか、近くを通る点検担当者が所持する。アタッチメント３０はビーコン信号発振器３１からのビーコン信号を受信するビーコン信号受信回路３３と、ビーコン信号受信回路３３がビーコン信号を受信したことを簡易通報器に通報する通報インターフェイス回路３４とを有する。簡易通報器１０の所持者は、簡易通報器１０とアタッチメント３０を組み合わせて使用する。例えば、点検担当者が簡易通報器１０とアタッチメント３０をベルト３２に付けて携帯し巡回する又は簡易通報器１０がビーコン信号発振器３１の近くに設置される。後者の場合、ビーコン信号発振器３１は棒状体７に設置され、例えばブルートゥース（登録商標）（ｂｌｕｅＴｏｏｔｈ（登録商標））（２．４ＧＨｚ帯＋周波数ホッピング方式）のビーコン信号を発振する。ビーコン信号の到達距離は例えば数ｍ以内・数１０ｍ以内であり、アタッチメント３０はビーコン信号発振器３１から近く（数ｍ以内・数１０ｍ以内）にあるときにビーコン信号を受信する。アタッチメント３０からの通報信号を受信した簡易通報器１０は自動的に、または簡易通報器１０の装着者が通報信号の受信を知って、正常である旨の通報信号を管理システム用サーバ２に通報する。これにより、管理システム用サーバ２では、正常である旨を認識できる。
【００４０】
ビーコン信号発振器３１からのビーコン信号発振器３１が破壊または紛失する等の異常状態が発生すると、簡易通報器１０はビーコン信号を受信できなくなる。簡易通報器１０が近くに設置された場合、管理システム用サーバ２にはそれまで常時又は定期的に送信されていた通報信号が途絶えることになる。管理システム用サーバ２で通報信号の途絶えが生じた時に異常状態が発生したと認識できる。又はそれまで常時又は定期的に送信されていた通報信号に代わってビーコン信号を受信不能の通報がされた場合に、管理システム用サーバ２で異常状態が発生したと認識できる。ビーコン信号を受信した旨の通報或いはビーコン信号を受信不能の通報には簡易通報器１０の位置情報を併せて送信すると、管理システム用サーバ２は即座に異常発生位置を特定できるので好ましい。
また、アタッチメント３０付の簡易通報器１０を所持する点検担当者が巡回中に近く（数ｍ以内・数１０ｍ以内）を通るとビーコン信号を受信できる。ビーコン信号を受信できないことに気付いたら、異常ボタンを押す等、管理システム用サーバ２に通報信号に異常である旨の情報を付して送信する。又は、点検担当者が定期的にビーコン信号発振器３１の近くを巡回することとし、当該ビーコン信号発振器３１の近くを巡回する所定の時間帯に、管理システム用サーバ２に、それまで定期的にされてきたビーコン信号を受信した旨の通報がされなくなった時に、管理システム用サーバ２で異常状態が発生したと認識できる。
簡易通報器１０と比較して、ビーコン信号発振器３１は常時ビーコン信号を発生する単純な構成であり、安価である。また、簡易通報器１０を持った人が巡回する代わりに、簡易通報器１０を搭載したドローン、ロボット等に巡回させても良い。ビーコン信号発振器３１は安価に製造できるので、破損・紛失しても損失が少なく、がけ崩れ、水害、火災発生のおそれが高い地域に予め設置して置くのに適している。
以上より、簡易通報器１０をビーコン信号発振器３１と共に緊急通報に使用することも可能である。
【００４１】
以上の実施例によれば、異常感知信号を自動送信するシステムにおいて、簡易な構造で安価な簡易通報セットを提供できる。
【００４２】
以上、本発明の実施の形態について説明したが、実施の形態は以上の例に限られるものではなく、本発明の趣旨を逸脱しない範囲で、種々の変更を加え得ることは明白である。
以上の実施例では異常感知センサーとして、水検知センサー、温度センサー、傾斜センサーの例を説明したが、感熱センサー（野獣が通る等）、タッチセンサー（野獣が触れる等）、位置移動センサー（害獣が罠にかかり簡易通報器の位置が移動）、ドアセンサー（ドアの開閉状態や電池電圧を無線で受信機に通知）を使用することも可能である。また、棒状体は下側を地中に埋めなくて地上に立てておくだけでも良い。また、各簡易通報器の電力消費を節減するために、各簡易通報器の電源をサンプリング時のみ、例えば一定期間の間隔でオンにしても良い。また、棒状体の形状（直線状に限られず、多少の曲がり、ひねりがあっても良い）、長さ、太さ、色彩、材質等も適宜変更可能である。また、センサーの種類、性能、簡易通報器の形状、寸法等も適宜変更可能である。これにより、電力を削減でき、バッテリーを長持ちさせられる。
【産業上の利用可能性】
【００４３】
本発明は、異常状態の通報に利用される。
【符号の説明】
【００４４】
１，１Ａ  簡易通報システム
１Ｓ，１ＳＡ  簡易通報セット
２    管理システム用サーバ
３    管理システム用データベース
４    管理システム用モニタ
５    通信ネットワーク
６    ＧＰＳ衛星
７    棒状体
１０  簡易通報器
１０Ｃ  簡易通報器パッケージ
１１  外部ネットワーク通信部
１２  インターフェイス部
１３  ＧＰＳ信号受信部
１４  制御部
１５  識別情報記憶部
１６  電源部
１６Ａ  電池
１６Ｂ  スイッチ
１７  共通信号バス
１８  ボード
１９Ａ  ワイヤー
１９Ｂ  アンカー
２１  マイコン＋センサー回路
２２  センサー開口部
２３  チャージャー接点
２４  ストラップ開口部
２５  水検知回路
２６  立木
２７  ロープ
３０  アタッチメント
３１  ビーコン信号発振器
３２  ベルト
３３  ビーコン信号受信回路
３４  通報インターフェイス回路
Ｘ１  水検知センサー
Ｘ２  温度センサー
Ｘ３  傾斜センサー
ＸＮ  異常感知センサー
Ｘａ〜Ｘｃ  水検知回路の端子
【図１】
2020021435.tif 000003
【図２Ａ】
2020021435.tif 000004
【図２Ｂ】
2020021435.tif 000005
【図３】
2020021435.tif 000006
【図４Ａ】
2020021435.tif 000007
【図４Ｂ】
2020021435.tif 000008
【図５】
2020021435.tif 000009
【図６】
2020021435.tif 000010
【図７】
2020021435.tif 000011
【図８】
2020021435.tif 000012
【図９】
2020021435.tif 000013
【図１０】
2020021435.tif 000014
【図１１Ａ】
2020021435.tif 000015
【図１１Ｂ】
2020021435.tif 000016
【図１２】
2020021435.tif 000017
【図１３】
2020021435.tif 000018